(57)【要約】【課題】より少ない消費電力で、快適な室内環境を実現する空調システム、空調方法、及びプログラムを提供する。【解決手段】空調システム１は、建物Ｈの床下Ｇに一端が設置され、建物Ｈの天井裏空間３０３に他端が設置されるダクト７００と、建物Ｈの天井に設けられ、天井裏空間３０３に繋がる開口部と、開口部に設けられた第１のガラリ３１０と、建物Ｈの部屋の壁に配置された第１のファン５００と、壁に設けた両端が開口した第１の通気層２００と、第１の通気層２００の上の開口に繋がる屋根裏に設けた第２の通気層２１０と、第２の通気層２１０の開口に繋がる棟に設けた棟換気部２２０と、で構成する。【選択図】図１
2017106289.tif 000002
【特許請求の範囲】
【請求項１】
建物の床下に一端が設置され、前記建物の天井裏空間に他端が設置されるダクトと、
前記建物の天井に設けられ、前記天井裏空間に繋がる開口部と、
前記開口部に設けられた第１の換気部材と、
前記建物の部屋の壁に配置されたファンと、
前記壁に設けた両端が開口した第１の通気層と、
この第１の通気層の上の開口に繋がる屋根裏に設けた第２の通気層と、
この第２の通気層の開口に繋がる棟に設けた棟換気部と、
で構成した空調システム。
【請求項２】
請求項１に記載の空調システムを備える建物の空調方法であって、
室内の温度が第１の閾値以上の場合、前記第１の換気部材によって、前記部屋と前記天井裏空間とを通気可能にし、前記ファンを稼働することで、前記床下の空気を、前記ダクトを介して室内に取り入れ、
前記室内の温度が、第１の閾値よりも小さい第２の閾値以下の場合、前記第１の換気部材によって、前記部屋と前記建物の小屋裏とを通気可能にし、前記ファンを稼働することで、前記小屋裏の空気を室内に取り入れる空調方法。
【請求項３】
２階建て以上の建物の１階の床下に一端が設置され、１階の天井裏空間に他端が設置される筒状のダクトと、
１階の部屋の天井に設けた第１の開口部と、
前記第１の開口部に設けた第１の換気部材と、
前記建物の最上階の部屋の天井に設けた第２の開口部と、
前記第２の開口部に設けられた第２の換気部材と、
前記１階の部屋、及び前記最上階の部屋の壁に配置されたファンと、
前記壁に設けた、両端が開口した第１の通気層と、
この第１の通気層の上の開口に繋がる屋根裏に設けた第２の通気層と、
この第２の通気層に繋がる棟に設けた棟換気部と、
で構成した空調システム。
【請求項４】
請求項３に記載の空調システムを備える建物の空調方法であって、
室内の温度が第１の閾値以上の場合、前記第１の換気部材によって、前記１階の部屋と前記１階の天井裏空間とを通気可能にし、前記ファンを稼働することで、前記床下の空気を、前記ダクトを介して室内に取り入れ、
前記室内の温度が、第１の閾値よりも小さい第２の閾値以下の場合、前記第２の換気部材によって、前記最上階の部屋と前記建物の小屋裏とを通気可能にし、前記ファンを稼働することで、前記小屋裏の空気を室内に取り入れる空調方法。
【請求項５】
室内の温度を計測する室温センサと、
前記室温センサから供給される信号に基づいて、前記ファン、前記第１の換気部材及び前記第２の換気部材を稼働することで前記室内の空調制御を行う制御装置と、をさらに備える請求項３に記載の空調システム。
【請求項６】
前記制御装置は、
前記室内の温度が第１の閾値以上の場合、前記第１の換気部材によって、前記１階の部屋と前記１階の天井裏空間とを通気可能にし、前記ファンを稼働することで、前記床下の冷気を、前記ダクトを介して室内に取り入れ、
前記室内の温度が第１の閾値よりも小さい第２の閾値以下の場合、前記第２の換気部材によって、前記最上階の部屋と前記建物の小屋裏とを通気可能にし、前記ファンを稼働することで、前記小屋裏の空気を室内に取り入れる請求項５に記載の空調システム。
【請求項７】
前記床下の温度を計測する床下温度センサと、
前記建物の小屋裏の温度を計測する小屋裏温度センサと、をさらに備え、
前記制御装置は、
前記室内の温度と前記床下の温度との差分が第３の閾値以上の場合、前記第１の換気部材によって、前記１階の部屋と前記１階の天井裏空間とを通気可能にし、前記ファンを稼働することで、前記床下の冷気を、前記ダクトを介して室内に取り入れ、
前記室内の温度と前記小屋裏の温度との差分が第４の閾値以上の場合、前記第２の換気部材によって、前記最上階の部屋と前記小屋裏とを通気可能にし、前記ファンを稼働することで、前記小屋裏の空気を室内に取り入れる、
請求項５に記載の空調システム。
【請求項８】
室内の温度を判別する室温判別ステップと、
前記室温判別ステップで判別した室内の温度が第１の閾値以上の場合、１階の部屋の天井に設けられた第１の換気部材によって、前記１階の部屋と前記１階の天井裏空間とを通気可能にし、前記１階の部屋及び最上階の部屋に設けたファンを稼働することで、床下の空気を、一端を前記床下に配備し、他端を前記１階の天井裏空間に配備したダクトを介して室内に取り入れる第１の空調ステップと、
前記室温判別ステップで判別した室内の温度が前記第１の閾値よりも小さい第２の閾値以下の場合、前記最上階の部屋の天井に設けられた第２の換気部材によって、前記最上階の部屋と小屋裏とを通気可能にし、前記ファンを稼働することで、前記小屋裏の空気を室内に取り入れる第２の空調ステップと、を備える空調方法。
【請求項９】
床下の温度を判別する床下温度判別ステップと、
前記室内の温度と前記床下の温度との差分を求める第１の温度差判別ステップと、
前記小屋裏の温度を判別する小屋裏温度判別ステップと、
前記室内の温度と前記小屋裏の温度との差分を求める第２の温度差判別ステップと、をさらに備え、
前記第１の空調ステップは、前記第１の温度差判別ステップで特定した差分が第３の閾値以上の場合、前記第１の換気部材によって、前記１階の部屋と前記１階の天井裏空間とを通気可能にし、前記ファンを稼働することで、前記床下の冷気を、前記ダクトを介して室内に取り入れ、
前記第２の空調ステップは、前記第２の温度差判別ステップで特定した差分が第４の閾値以上の場合、前記第２の換気部材によって、前記最上階の部屋と前記小屋裏とを通気可能にし、前記ファンを稼働することで、前記小屋裏の空気を室内に取り入れる請求項８に記載の空調方法。
【請求項１０】
コンピュータを、
室内の温度を判別する室温判別手段、
前記室温判別手段で判別した室内の温度が第１の閾値以上の場合、１階の天井に設けられた第１の換気部材によって、前記１階の部屋と前記１階の天井裏空間とを通気可能にし、前記１階の部屋及び最上階の部屋に設けたファンを稼働することで、床下の空気を、一端を前記床下に配備し、他端を前記１階の天井裏空間に配備したダクトを介して室内に取り入れる第１の空調手段、
前記室温判別手段で判別した室内の温度が第１の閾値よりも小さい第２の閾値以下の場合、前記最上階の部屋の天井に設けられた第２の換気部材によって、前記最上階の部屋と小屋裏とを通気可能にし、前記ファンを稼働することで、前記小屋裏の空気を室内に取り入れる第２の空調手段、として機能させるためのプログラム。
【発明の詳細な説明】
【技術分野】
【０００１】
本発明は、建物の空調システム、空調方法、及びプログラムに関する。
【背景技術】
【０００２】
建物において、快適な室内環境を実現するために、壁構造材と透湿作用を有する室内壁との間に内部通気層を設け、室内の空気を、内部通気層を経て建物外に排出する構成が知られている（例えば、特許文献１参照）。特許文献１の構成では、加湿器及び除湿器を駆動して、室内の湿度が快適な状態に保たれる。
【先行技術文献】
【特許文献】
【０００３】
【特許文献１】特開２００６−２０７１２６号公報
【発明の概要】
【発明が解決しようとする課題】
【０００４】
しかし、特許文献１に開示された構成は、室内の温度を制御する構成ではないため、特に、夏期又は冬期において、室内環境を快適に保つことは容易ではない。また、室内を快適な状態に保つために、例えばエアコンディショナー等の空調装置を設置し、高出力で稼働すると、多大な電力を消費してしまう。
【０００５】
本発明は、上記に鑑みて、より少ない消費電力で、室内環境を快適にすることを目的とする。
【課題を解決するための手段】
【０００６】
上記目的を達成するために、本発明の第１の観点に係る空調システムは、
建物の床下に一端が設置され、前記建物の天井裏空間に他端が設置されるダクトと、
前記建物の天井に設けられ、前記天井裏空間に繋がる開口部と、
前記開口部に設けられた第１の換気部材と、
前記建物の部屋の壁に配置されたファンと、
前記壁に設けた両端が開口した第１の通気層と、
この第１の通気層の上の開口に繋がる屋根裏に設けた第２の通気層と、
この第２の通気層の開口に繋がる棟に設けた棟換気部と、
で構成した。
【０００７】
本発明の第２の観点に係る空調方法は、
第１の観点に係る空調システムを備える建物の空調方法であって、
室内の温度が第１の閾値以上の場合、前記第１の換気部材によって、前記部屋と前記天井裏空間とを通気可能にし、前記ファンを稼働することで、前記床下の空気を、前記ダクトを介して室内に取り入れ、
前記室内の温度が、第１の閾値よりも小さい第２の閾値以下の場合、前記第１の換気部材によって、前記部屋と前記建物の小屋裏とを通気可能にし、前記ファンを稼働することで、前記小屋裏の空気を室内に取り入れる。
【０００８】
本発明の第３の観点に係る空調システムは、
２階建て以上の建物の１階の床下に一端が設置され、１階の天井裏空間に他端が設置される筒状のダクトと、
１階の部屋の天井に設けた第１の開口部と、
前記第１の開口部に設けた第１の換気部材と、
前記建物の最上階の部屋の天井に設けた第２の開口部と、
前記第２の開口部に設けられた第２の換気部材と、
前記１階の部屋、及び前記最上階の部屋の壁に配置されたファンと、
前記壁に設けた、両端が開口した第１の通気層と、
この第１の通気層の上の開口に繋がる屋根裏に設けた第２の通気層と、
この第２の通気層に繋がる棟に設けた棟換気部と、
で構成した。
【０００９】
上記目的を達成するために、本発明の第４の観点に係る空調方法は、
第３の観点に係る空調システムを備える建物の空調方法であって、
室内の温度が第１の閾値以上の場合、前記第１の換気部材によって、前記１階の部屋と前記１階の天井裏空間とを通気可能にし、前記ファンを稼働することで、前記床下の空気を、前記ダクトを介して室内に取り入れ、
前記室内の温度が、第１の閾値よりも小さい第２の閾値以下の場合、前記第２の換気部材によって、前記最上階の部屋と前記建物の小屋裏とを通気可能にし、前記ファンを稼働することで、前記小屋裏の空気を室内に取り入れる。
【００１０】
室内の温度を計測する室温センサと、
前記室温センサから供給される信号に基づいて、前記ファン、前記第１の換気部材及び前記第２の換気部材を稼働することで前記室内の空調制御を行う制御装置と、をさらに備えてもよい。
【００１１】
前記制御装置は、
前記室内の温度が第１の閾値以上の場合、前記第１の換気部材によって、前記１階の部屋と前記１階の天井裏空間とを通気可能にし、前記ファンを稼働することで、前記床下の冷気を、前記ダクトを介して室内に取り入れ、
前記室内の温度が第１の閾値よりも小さい第２の閾値以下の場合、前記第２の換気部材によって、前記最上階の部屋と前記建物の小屋裏とを通気可能にし、前記ファンを稼働することで、前記小屋裏の空気を室内に取り入れるようにしてもよい。
【００１２】
前記床下の温度を計測する床下温度センサと、
前記建物の小屋裏の温度を計測する小屋裏温度センサと、をさらに備え、
前記制御装置は、
前記室内の温度と前記床下の温度との差分が第３の閾値以上の場合、前記第１の換気部材によって、前記１階の部屋と前記１階の天井裏空間とを通気可能にし、前記ファンを稼働することで、前記床下の冷気を、前記ダクトを介して室内に取り入れ、
前記室内の温度と前記小屋裏の温度との差分が第４の閾値以上の場合、前記第２の換気部材によって、前記最上階の部屋と前記小屋裏とを通気可能にし、前記ファンを稼働することで、前記小屋裏の空気を室内に取り入れるようにしてもよい。
【００１３】
上記目的を達成するために、本発明の第５の観点に係る空調方法は、
室内の温度を判別する室温判別ステップと、
前記室温判別ステップで判別した室内の温度が第１の閾値以上の場合、１階の部屋の天井に設けられた第１の換気部材によって、前記１階の部屋と前記１階の天井裏空間とを通気可能にし、前記１階の部屋及び最上階の部屋に設けたファンを稼働することで、床下の空気を、一端を前記床下に配備し、他端を前記１階の天井裏空間に配備したダクトを介して室内に取り入れる第１の空調ステップと、
前記室温判別ステップで判別した室内の温度が前記第１の閾値よりも小さい第２の閾値以下の場合、前記最上階の部屋の天井に設けられた第２の換気部材によって、前記最上階の部屋と小屋裏とを通気可能にし、前記ファンを稼働することで、前記小屋裏の空気を室内に取り入れる第２の空調ステップと、を備える。
【００１４】
床下の温度を判別する床下温度判別ステップと、
前記室内の温度と前記床下の温度との差分を求める第１の温度差判別ステップと、
前記小屋裏の温度を判別する小屋裏温度判別ステップと、
前記室内の温度と前記小屋裏の温度との差分を求める第２の温度差判別ステップと、をさらに備え、
前記第１の空調ステップは、前記第１の温度差判別ステップで特定した差分が第３の閾値以上の場合、前記第１の換気部材によって、前記１階の部屋と前記１階の天井裏空間とを通気可能にし、前記ファンを稼働することで、前記床下の冷気を、前記ダクトを介して室内に取り入れ、
前記第２の空調ステップは、前記第２の温度差判別ステップで特定した差分が第４の閾値以上の場合、前記第２の換気部材によって、前記最上階の部屋と前記小屋裏とを通気可能にし、前記ファンを稼働することで、前記小屋裏の空気を室内に取り入れるようにしてもよい。
【００１５】
上記目的を達成するために、本発明の第６の観点に係るプログラムは、
コンピュータを、
室内の温度を判別する室温判別手段、
前記室温判別手段で判別した室内の温度が第１の閾値以上の場合、１階の天井に設けられた第１の換気部材によって、前記１階の部屋と前記１階の天井裏空間とを通気可能にし、前記１階の部屋及び最上階の部屋に設けたファンを稼働することで、床下の空気を、一端を前記床下に配備し、他端を前記１階の天井裏空間に配備したダクトを介して室内に取り入れる第１の空調手段、
前記室温判別手段で判別した室内の温度が第１の閾値よりも小さい第２の閾値以下の場合、前記最上階の部屋の天井に設けられた第２の換気部材によって、前記最上階の部屋と小屋裏とを通気可能にし、前記ファンを稼働することで、前記小屋裏の空気を室内に取り入れる第２の空調手段、として機能させる。
【発明の効果】
【００１６】
本発明によれば、より少ない消費電力で、室内環境を快適にすることができる。
【図面の簡単な説明】
【００１７】
【図１】本発明の実施形態に係る建物の模式図である。
【図２】建物の柱、土台、胴差し、軒桁及び屋根材の要部を示した一部省略の拡大斜視図である。
【図３】空調システムの構成を示すブロック図である。
【図４】建物の一部を示した斜視図である。
【図５】制御装置の動作を示すフローチャートである。
【図６】夏期における建物内の空気の流れを説明するための模式図である。
【図７】冬期における建物内の空気の流れを説明するための模式図である。
【図８】夏期における建物の室内の温度を計測した結果を示す図で、（ａ）は本発明の実施形態に係る建物の温度を示す図で、（ｂ）は空調システムを備えていない従来の建物の温度を示す図である。
【図９】冬期における、本発明の実施形態に係る建物の小屋裏の温度を計測した結果を示す図で、（ａ）はある曇りの日における小屋裏の温度を示す図で、（ｂ）はある晴れの日における小屋裏の温度を示す図である。
【発明を実施するための形態】
【００１８】
以下、本発明に係る空調システム１を配備した建物の一実施形態について、図１〜図７を参照して説明する。
【００１９】
図１、図２に示す建物Ｈは、例えば木造構造である。その要旨は、水切り、又は換気穴等を備えた土台１０と、土台１０に立設した柱２０と、柱２０間をつなぐ胴差し３０と、この柱２０の上端に設けた軒桁４０と、この軒桁４０に設けた断熱材５１、防水シート５３等を介して葺設した瓦等の屋根材５２と、１階と２階とを行き来するための階段６０と、で構築する。図１中の７０は軒天を示す。図１、図２に於いては、断面の主要な箇所にハッチングして明確とした。
【００２０】
基礎Ｆは、地面上にコンクリートが敷き固められてなり、床下Ｇの空気の通気経路となる孔１１が２カ所設けられている。土台１０は、複数の角材から構成され、基礎Ｆ又はその立上部に差渡し固定される。複数本の柱２０は、土台１０上に立設された角材である。胴差し３０は、１階と２階等の各階との間における複数の柱２０に架渡しされた横架材である。軒桁４０は、各柱２０の上部に架渡しされた横架材である。複数本の軒桁４０及び建物Ｈの頂部に設置された棟木５４上には、屋根５０が、頂部で開口部５０ａを形成するように設置される。断熱材５１の下端側には、複数本の垂木（母屋）５５が複数本設置される。
【００２１】
図１に示すように、複数本の柱２０などの室内側には、木質系ボード等の内壁２１が固定され、複数の柱２０及び軒桁４０等の室外側にはサイディング等の外壁２２が固定されている。壁体８０は、この内壁２１及び外壁２２から構成される。図２に示すように、壁体８０内には、断熱材マット８１が収納されている。この断熱材マット８１は、防水断熱性を有する袋内にグラスウール等の断熱性の高い材料を充填した定尺マットである。内壁２１の室外側の面には断熱材マット８１を覆うように防湿シート（図示略）が貼り付けられている。内壁２１と外壁２２の下端との間には開口を設け、例えば、１階の部屋３００の内気を、速やかに排除する。
【００２２】
外壁２２と柱２０及び胴差し３０と内壁２１との間には、通気経路となる第１の通気層２００が形成されており、この第１の通気層２００の上端側の開口は、屋根材５２と防水シート５３との間に形成した第２の通気層２１０に連なる。第２の通気層２１０は、後述する棟換気部２２０に連なる。また、第１の通気層２００の下端側は開放されている。また、第１の通気層２００は、断熱層としての機能を持つ。
【００２３】
土台１０には、図１に示すように、１階の床面３０１が固定され、胴差し３０には、１階の天井３０２が固定されている。また、胴差し３０上には、２階の床面４０１が固定され、軒桁４０には、２階の天井４０２が固定されている。これにより、１階の部屋３００及び２階の部屋４００は、それぞれ建物Ｈ内において、概ね直方体の空間で区切られる。また、１階の部屋３００と２階の部屋４００との間には、１階の天井裏空間３０３（開口部）が形成され、２階の部屋４００と屋根５０との間には、小屋裏４０３が形成される。また、１階の天井３０２には、１階の天井裏空間３０３に流れた空気が、１階の部屋３００に流れるための開口部３２０が設けられている。
【００２４】
屋根材５２の頂部には、棟カバー９０が設けられている。棟カバー９０は、棟に合わせて屈曲した板状に形成されているが、一例である。棟カバー９０と屋根材５２との間には、通気経路となる隙間２２１が設けられている。棟換気部２２０は、開口部５０ａと隙間２２１から構成され、第２の通気層２１０から流入する空気を建物Ｈの外へ排出する。
【００２５】
空調システム１は、１階の部屋３００の側壁及び２階の部屋３００の側壁に設けられた４基の第１のファン５００と、断熱材５１に設けられた２基の第２のファン６００と、金属、樹脂等の材質で筒状に形成されるダクト７００と、１階の部屋３００の天井３０２に設けられた第１のガラリ３１０と、２階の部屋４００の天井４０２に設けられた第２のガラリ４１０と、を備える。さらに、空調システム１は、図３に示すように、各換気部材（第１のファン５００、第２のファン６００、第１のガラリ３１０、第２のガラリ４１０）の制御を行う制御装置１０００と、室内の温度を計測する室温センサ１０１０と、を備え、室内の空調制御を行う。制御の詳細については後述する。
【００２６】
ダクト７００は、図４に示すように、１階の部屋３００及び２階の部屋４００の内壁２１と、例えば、隣接した他の部屋の内壁２１との間に配備される。ダクト７００の一端側の吸気端７００ａは床下Ｇ（床面３０１と基礎Ｆとの間）まで延び、他端側の排気端７００ｂは１階の天井裏空間３０３まで延びている。なお、ダクト７００の配備位置は、例えば、第１の通気層２００に配備してもよいし、１階の部屋３００、２階の部屋４００の壁の内部を通過してもよい（図示せず）。
【００２７】
第１のファン５００は、例えば、円筒状のパイプファンである。第１のファン５００は、１階の部屋３００の内壁及び２階の部屋４００の内壁２１に設けられており、１階の部屋３００及び２階の部屋４００の空気を第１の通気層２００に排気する。第１のファン５００によって排気された空気は、第２の通気層２１０を経由して棟換気部２２０から建物Ｈ外へ排気される。又は、第１の通気層２００の下側から建物Ｈ外へ排気する。
【００２８】
第２のファン６００は、第１のファン５００と同様に、例えば、円筒状のパイプファンである。第２のファン６００は、断熱材５１に設けられており、小屋裏４０３の空気を、第２の通気層２１０を経由して棟換気部２２０から建物Ｈ外へ排気する。
【００２９】
１階の天井３０２に設けられた第１のガラリ３１０は、１階の天井裏空間３０３内の空気を１階の部屋３００内に取り入れる。２階の天井４０２に設けられた第２のガラリ４１０は、小屋裏４０３の空気を２階の部屋４００に取り入れる。第１のガラリ３１０及び第２のガラリ４１０は、複数基でもよく、全てか、その一部が、例えば排気用ファンでもよい。
【００３０】
次に、図５のフローチャート及び図６、図７を参照しつつ、空調システム１の動作について説明する。
【００３１】
小屋裏４０３は、１年を通して、建物Ｈ内でも、日光によって最も暖められやすい空間であり、また、建物Ｈが暖められることにより発生する上昇気流の影響を受ける。このため、小屋裏４０３は、建物Ｈの内部でも特に温度が高い。すなわち、小屋裏４０３の空気は暖気となる。また、床下Ｇは、夏期において、日光が屋根５０や壁体８０に遮られるため、また、小屋裏４０３や１階の部屋３００、２階の部屋４００の空気が断熱層として作用するため、日光の影響を受けにくく、日中でも温度上昇しにくい。そのため、床下Ｇの空気は冷気となる。
【００３２】
制御装置１０００は、図５に示すように、まず、室温センサ１０１０から供給される信号に基づいて、室内の温度Ｔを特定する（ステップＳ１１）。
【００３３】
次に、室温Ｔが所定の閾値Ｔ１（例えば、Ｔ１＝３２℃）以上であるかどうかを判別する（ステップＳ１２）。
【００３４】
室温Ｔが所定の閾値Ｔ１以上であると判別した場合（ステップＳ１２；ＹＥＳ）、制御装置１０００は、各換気部材を稼働する（ステップＳ１３）。
【００３５】
具体的には、制御装置１０００は、図６に示すように、第１のガラリ３１０を開け、１階の天井裏空間３０３と、１階の部屋３００及び２階の部屋４００と、を通気可能にする。また、第１のファン５００を稼働して、１階の部屋３００と２階の部屋４００の空気を排気する。さらに、第２のガラリ４１０を閉じ、第２のファン６００を稼働して、小屋裏４０３の空気を排気する。
【００３６】
この結果、１階の部屋３００及び２階の部屋４００は、負圧となり、１階の天井裏空間３０３及びダクト７００を介して、床下Ｇの空気（冷気）を吸引するように取り入れることとなり、建物Ｈは、矢印線に沿って空気が流れる。
【００３７】
このように、床下Ｇの空気（冷気）を取り入れることで、１階の部屋３００及び２階の部屋４００の温度を下げることができる。また、小屋裏４０３に溜まった暖気による影響で、例えば、２階の部屋４００の空気が暖められることを抑制する。
【００３８】
図５に戻り、ステップＳ１２で、室温Ｔが所定の閾値Ｔ１未満であると判別した場合（ステップＳ１２；ＮＯ）、制御装置１０００は、室温Ｔが、所定の閾値Ｔ１未満の所定の閾値Ｔ２（例えば、Ｔ２＝８℃）以下であるかどうかを判別する（ステップＳ１４）。
【００３９】
室温Ｔが所定の閾値Ｔ２以下であると判断した場合（ステップＳ１４；ＹＥＳ）、制御装置１０００は、各換気部材を稼働する（ステップＳ１５）。
【００４０】
具体的には、制御装置１０００は、図７に示すように、第２のガラリ４１０を開け、小屋裏４０３と１階の部屋３００及び２階の部屋４００とを通気可能にする。同時に、第１のファンを稼働し、１階の部屋３００及び２階の部屋４０００の空気を建物Ｈ外へ排気する。第１のファン５００を稼働することで、１階の部屋３００及び２階の部屋４００は負圧となり、これにより、１階の部屋３００及び２階の部屋４００は、小屋裏４０３の暖気を吸引するように取り入れる。
【００４１】
一方、１階の部屋３００及び２階の部屋４００を効率的に暖めるため、第１のガラリ３１０は閉じ、第２のファン６００は稼働しない。
【００４２】
この結果、１階の部屋３００及び２階の部屋４００は、負圧となり、第２のガラリ４１０を介して小屋裏４０３の空気（暖気）を吸引するように取り入れることとなり、建物Ｈは、矢印線に沿って空気が流れる。
【００４３】
図５に戻り、ステップＳ１４で、室温Ｔが所定の閾値Ｔ２を超えると判別した場合（ステップＳ１４；ＮＯ）、制御装置１０００は、稼働中の換気部材（第１のガラリ３１０、第２のガラリ４１０、第１のファン５００、第２のファン６００）があるかどうかを判別する（ステップＳ１６）。
【００４４】
稼働中の換気部材があると判別した場合（ステップＳ１６；ＹＥＳ）、制御装置１０００は、稼働中の換気部材を停止し（ステップＳ１７）、ステップＳ１１に戻って一連の空調制御処理を繰り返す。また、全ての換気部材が停止していると判別した場合（ステップＳ１６；ＮＯ）、制御装置１０００は、ステップＳ１１に戻って一連の空調制御処理を繰り返す。
【００４５】
上記実施形態に係る空調システム１は、基礎Ｆと床面３０１との間に一端（吸気端７００ａ）が設置され、１階の天井裏空間３０３に他端（排気端７００ｂ）が設置されたダクト７００と、１階の部屋３００及び２階の部屋４００に設置された第１のファン５００と、１階の部屋３００の天井３０２に設けられた第１のガラリ３１０と、２階の部屋４００の天井４０２に設けられた第２のガラリ４１０と、を備える。
【００４６】
この構成によれば、夏期においては、第１のファン５００によって、第１の通気層２００より、第２の通気層２１０とも棟換気部２２０を介して建物Ｈ外へ排気される。これにより、１階の部屋３００及び２階の部屋４００の暖気が建物Ｈ外へ排気され、かつ１階の部屋３００及び２階の部屋４００は負圧となり、かつ第１のガラリ３１０を開放することで、床下Ｇの冷気を、ダクト７００と１階の天井裏空間３０３を経由して、第１のガラリ３１０から取り入れることで、１階の部屋３００及び２階の部屋４００の空冷を図る。
【００４７】
図８（ａ）は、夏期における建物Ｈの小屋裏４０３の温度と、空調システム１を備えていない従来の建物の小屋裏の温度と、をそれぞれ計測し、比較した図である。また、図８（ｂ）は、夏期における建物Ｈの室内の温度と、従来の建物の室内の温度と、をそれぞれ計測し、比較した図である。なお、いずれも、空調システム１以外の、エアコンディショナーなどの空調機器は設置しない条件で温度を計測した。図８に示すように、空調システム１を備えることで、特に日中の温度を大幅に抑えることができる。また、１日の気温差も、従来の建物と比較して、空調システム１を備える建物Ｈでは大幅に低減される。このように、空調システム１を稼働することにより、最高気温を大幅に抑えることができるとともに、１日の気温差も大幅に低減することができる。
【００４８】
この構成によれば、冬期においては、第１のファン５００によって、１階の部屋３００及び２階の部屋４００の冷気が建物Ｈ外へ排気される。これによって、１階の部屋３００及び２階の部屋４００は負圧となり、かつ第２のガラリ４１０を開放することで、小屋裏４０３の空気を、第２のガラリ４１０から、１階の部屋３００及び２階の部屋４００に取り入れる。
【００４９】
図９（ａ）は、冬期の、ある雲りの日における小屋裏４０３の温度を計測した結果を示す図である。また、図９（ｂ）は、冬期の、ある晴れの日における小屋裏４０３の温度を計測した結果を示す図である。図９に示すように、特に晴れの日には、冬期であっても、小屋裏４０３の温度は４０℃近くまで上昇する。この小屋裏４０３の暖気を前述のように室内に取り入れることで、室内の温度を上げることができる。
【００５０】
このように、床下Ｇの冷気、又は小屋裏４０３の暖気を利用して室温を調整するため、エアコンディショナー等のみで室温を調整した場合に比べて、より少ない消費電力で、快適な室内環境を実現することができる。また、この空調システム１によれば、部屋内の温度調整だけに限らず、空気を循環させることで、臭いや煙なども外部に排出することができ、快適な室内環境を実現できる。また、空調システム１によれば、換気のために窓を開ける頻度を低減できるため、防犯上も好ましく、かつ、前述の消費電力の軽減化に寄与できる。さらに、空調システム１を、１階の部屋３００、及び／又は、２階の部屋４００に設置し、本発明との併用で、真夏日／酷寒時等の環境整備に役立てること、或いはクローゼット、押し入れ又は玄関に適用することで、クローゼット等の内部に臭いがこもることなどを抑制できる。
【００５１】
（変形例）
上記実施形態では、棟換気部２２０から建物Ｈの外部に空気が排出したが、その他の部分、例えば、外壁２２に排気口（図示せず）を設けて、その排気口から建物Ｈ外に排出してもよい。また、この排気口に外部に空気を送るファンを新たに設けてもよい。
【００５２】
上記実施形態に係る第１のファン５００は、ファンの能力や部屋の面積などを考慮して、適宜増設／省略してもよい。あるいは、１階の部屋３００のみに設置してもよいし、２階の部屋４００のみに設置してもよい。
【００５３】
上記実施形態に係る第２のファン６００は、ファンの能力などを考慮して、適宜増設／省略してもよい。あるいは、第２のファン６００を設置しなくともよい。
【００５４】
上記実施形態では、２階建ての建物Ｈである例によって説明したが、これに限られず、例えば、３階建ての建物でもよい。また、例えば、３階建ての建物の場合、ダクト７００の排気端側を枝分かれさせ、排気端のそれぞれを、最上階以外の天井裏空間のそれぞれまで延びるように構成してもよい。
【００５５】
上記実施形態では、建物Ｈは、木造で説明したが、鉄骨又は鉄筋コンクリートの建物Ｈに、実施形態に係る空調システム１を適用してもよい。
【００５６】
上記実施の形態に係る空調システム１に、湿度センサをさらに備えてもよい。また、例えば、湿度センサから供給される信号に基づいて、室内の湿度が、所定の閾値以上であると判別すると、第１のファン５００を稼働するように制御してもよい。制御装置１０００が湿度センサを備えることで、建物Ｈの湿度を監視し、室内を常に快適な環境に保つことができる。また、結露やカビ、ダニの発生を抑制できる。
【００５７】
上記実施形態に係る空調システム１に、小屋裏温度センサと床下温度センサとをさらに備えてもよい。また、室温Ｔ、小屋裏４０３の温度及び床下Ｇの温度に基づいて、室内の空調を制御する構成としてもよい。
【００５８】
上記実施形態に係る制御装置１０００は、室温センサ１０１０から供給される信号に基づいて各換気部材を稼働制御して、室内の空調を制御したが、これに限られず、例えば、室温センサ１０１０に代えて、外気温センサを備え、外気温センサから供給される信号に基づいて、室内の空調を制御する構成としてもよい。
【００５９】
上記実施の形態に係る制御装置１０００に、ユーザによって押し操作可能に設置された強制動作スイッチをさらに備えてもよい。制御装置１０００は、強制動作スイッチが押し操作されたことを認識すると、第１のファン５００及び第２のファン６００を駆動し、第１のガラリ３１０及び第２のガラリ４１０を開放する。この構成によれば、例えば、調理の際、部屋内に充満した匂い及び煙を迅速に、建物Ｈ外に排出できる。
【００６０】
上記実施形態では、１階の部屋３００及び２階の部屋４００の空調を管理する例によって説明したが、これに限られず、例えば、クローゼット、押し入れ、玄関などが対象であってもよい。
【００６１】
本発明は上述した実施形態に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００６２】
１  空調システム
１０  土台
１１  孔
２０  柱
２１  内壁
２２  外壁
３０  胴差し
４０  軒桁
５０  屋根
５１  断熱材
５２  屋根材
５３  防水シート
５４  棟木
５５  垂木（母屋）
６０  階段
７０  軒天
８０  壁体
８１  断熱材マット
９０  棟カバー
２００  第１の通気層
２１０  第２の通気層
２２０  棟換気部
２２１  隙間
３００  １階の部屋
４００  ２階の部屋
３０１、４０１  床面
３０２、４０２  天井
３０３  １階の天井裏空間
４０３  小屋裏
３１０  第１のガラリ（第１の換気部材）
４１０  第２のガラリ（第２の換気部材）
３２０  開口部
５００  第１のファン
６００  第２のファン
７００  ダクト
７００ａ  吸気端
７００ｂ  排気端
１０００  制御装置
１０１０  室温センサ
Ｆ  基礎
Ｇ  床下
Ｈ  建物
【図１】
2017106289.tif 000003
【図２】
2017106289.tif 000004
【図３】
2017106289.tif 000005
【図４】
2017106289.tif 000006
【図５】
2017106289.tif 000007
【図６】
2017106289.tif 000008
【図７】
2017106289.tif 000009
【図８】
2017106289.tif 000010
【図９】
2017106289.tif 000011